(57)【要約】【課題】ユーザーに不快感を与えることなく表示の消去を行うことができる電気泳動表示装置の駆動方法を提供する。【解決手段】本発明の電気泳動表示装置の駆動方法は、素子基板３０に少なくとも一方向においてマイクロカプセル２０の平均径以下のピッチで配列された複数の画素電極３５が形成され、対向基板３１に複数の画素電極３５と対向する共通電極３７が形成された電気泳動表示装置１００を駆動する方法であり、表示画像を消去する画像消去ステップＳＴ１３（又はＳＴ１４）において、共通電極３７を電気的に切断した状態とするとともに、１又は複数の画素電極３５を１駆動単位とし、隣接する駆動単位同士が異なる電位となるように画素電極３５に電位を入力することを特徴とする。【選択図】図７
2010008645.tif 000002
【特許請求の範囲】
【請求項１】
対向して配置された第１基板と第２基板との間に、電気泳動粒子を含むマイクロカプセルが複数配列された電気泳動素子を挟持してなり、前記第１基板の前記電気泳動素子側に、少なくとも一方向において前記マイクロカプセルの平均径以下のピッチで配列された複数の第１電極が形成され、前記第２基板の前記電気泳動素子側には、複数の前記第１電極と対向する第２電極が形成された電気泳動表示装置の駆動方法であって、
表示画像を消去する画像消去ステップにおいて、
前記第２電極を電気的に切断した状態とするとともに、１又は複数の前記第１電極を１駆動単位とし、少なくとも一方向において隣接する前記駆動単位同士が異なる電位となるように前記第１電極に電位を入力することを特徴とする電気泳動表示装置の駆動方法。
【請求項２】
前記画像消去ステップが、
複数の前記駆動単位のうち一部の前記駆動単位に属する前記第１電極に第１の電位を入力し、他の一部の前記駆動単位に属する前記第１電極に第２の電位を入力するステップと、
各々の前記駆動単位に属する前記第１電極に対して、前記第１の電位と前記第２の電位とを入れ替えて入力するステップと
を含むことを特徴とする請求項１に記載の電気泳動表示装置の駆動方法。
【請求項３】
前記画像消去ステップにおいて、
複数の前記第１電極のうち一部の前記第１電極を電気的に切断した状態とすることを特徴とする請求項１又は２に記載の電気泳動表示装置の駆動方法。
【請求項４】
前記駆動単位の面積が前記マイクロカプセルの平均平面積の０．２５倍を超えて１倍以下となるように、前記駆動単位を設定することを特徴とする請求項１から３のいずれか１項に記載の電気泳動表示装置の駆動方法。
【請求項５】
前記駆動単位の最短ピッチが前記マイクロカプセルの平均径の０．５倍を超えて１倍以下となるように、前記駆動単位を設定することを特徴とする請求項１から３のいずれか１項に記載の電気泳動表示装置の駆動方法。
【請求項６】
対向して配置された第１基板と第２基板との間に、電気泳動粒子を含むマイクロカプセルが複数配列された電気泳動素子を挟持してなり、前記第１基板の前記電気泳動素子側に、少なくとも一方向において前記マイクロカプセルの平均径以下のピッチで配列された複数の第１電極が形成され、前記第２基板の前記電気泳動素子側には複数の前記第１電極と対向する第２電極が形成されており、前記第１及び第２電極の電位を制御する制御部を具備した電気泳動表示装置であって、
前記制御部は、
表示画像を消去する画像消去期間において、前記第２電極を電気的に切断した状態とするとともに、１又は複数の前記第１電極を１駆動単位とし、少なくとも一方向において隣接する前記駆動単位同士が異なる電位となるように前記第１電極に電位を入力することを特徴とする電気泳動表示装置。
【請求項７】
前記マイクロカプセルの平均平面積が、前記駆動単位の面積の１倍以上４倍未満であることを特徴とする請求項６に記載の電気泳動表示装置。
【請求項８】
前記マイクロカプセルの平均径が、前記駆動単位の最短のピッチの１倍以上２倍未満であることを特徴とする請求項６に記載の電気泳動表示装置。
【請求項９】
前記画像消去期間が、
複数の前記駆動単位のうち一部の前記駆動単位に属する前記第１電極に第１の電位を入力し、他の一部の前記駆動単位に属する前記第１電極に第２の電位を入力する期間と、
各々の前記駆動単位に属する前記第１電極に対して、前記第１の電位と前記第２の電位とを入れ替えて入力する期間と
を含むことを特徴とする請求項６から８のいずれか１項に記載の電気泳動表示装置。
【請求項１０】
前記画像消去期間において、
前記制御部は、複数の前記第１電極のうち一部の前記第１電極を電気的に切断した状態とすることを特徴とする請求項６から９のいずれか１項に記載の電気泳動表示装置。
【請求項１１】
請求項６から１０のいずれか１項に記載の電気泳動表示装置を備えたことを特徴とする電子機器。
【発明の詳細な説明】
【技術分野】
【０００１】
本発明は、電気泳動表示装置とその駆動方法、及び電子機器に関するものである。
【背景技術】
【０００２】
一対の基板間に１又は複数種の電気泳動粒子と分散媒とを封入した電気泳動表示装置が知られている。この種の電気泳動表示装置では、表示側の基板に形成された透明電極と、裏面側（表示面と反対側）の基板に形成された駆動電極との間に電圧を印加し、電気泳動粒子をいずれか一方の電極に引き寄せることで表示を行っていた（例えば特許文献１参照）。またこの種の電気泳動表示装置では、残像を軽減させるために、表示部の全体を白表示する動作（全白表示）と黒表示する動作（全黒表示）とを行う消去方法が採用されていた（例えば特許文献２参照）。
【特許文献１】特開２００６−２５９２４３号公報
【特許文献２】特開２００７−２０６２６６号公報
【発明の開示】
【発明が解決しようとする課題】
【０００３】
しかしながら、上記の全白表示と全黒表示とを繰り返す消去方法では、表示面が白黒に明滅したり、消去が不十分な段階では表示部にまだら模様が視認されてしまうため、ユーザーに不快感を与えてしまうおそれがあった。
【０００４】
本発明は、上記従来技術の問題点に鑑み成されたものであって、ユーザーに不快感を与えることなく表示の消去を行うことができる電気泳動表示装置とその駆動方法を提供することを目的の一つとする。
【課題を解決するための手段】
【０００５】
本発明は、上記課題を解決するために、対向して配置された第１基板と第２基板との間に、電気泳動粒子を含むマイクロカプセルが複数配列された電気泳動素子を挟持してなり、前記第１基板の前記電気泳動素子側に、少なくとも一方向において前記マイクロカプセルの平均径以下のピッチで配列された複数の第１電極が形成され、前記第２基板の前記電気泳動素子側には、複数の前記第１電極と対向する第２電極が形成された電気泳動表示装置の駆動方法であって、表示画像を消去する画像消去ステップにおいて、前記第２電極を電気的に切断した状態とするとともに、１又は複数の前記第１電極を１駆動単位とし、少なくとも一方向において隣接する前記駆動単位同士が異なる電位となるように前記第１電極に電位を入力することを特徴とする。
【０００６】
この駆動方法では、画像消去ステップにおいて、第２電極を電気的に切断した状態で第１電極に電圧を印加することで、隣接する駆動単位間に横方向（基板面方向）の電界を発生させる。
ここで、本駆動方法が適用される電気泳動表示装置では、第１電極のピッチがマイクロカプセルの平均径以下の長さであるため、多くのマイクロカプセルでその平面領域内に第１電極間の境界領域が配置されている。そのため、上記の電界によってマイクロカプセル内の電気泳動粒子が横方向に移動し、粒子と逆極性の電位の第１電極上に引き寄せられる。
【０００７】
その結果、画像消去ステップの実行によって第２電極側に電気泳動粒子がほとんど配置されなくなり、当該電気泳動表示装置を第２基板側から視認するとグレイ表示（電気泳動粒子が白色粒子と黒色粒子である場合）となる。したがって、画像消去動作中に白黒の明滅が表示されることがなくなり、ユーザーに不快感を与えるのを防止することができる。また、画像消去が不十分な段階において、第２基板側に電気泳動粒子が残存していても、背景色がグレイになっているため、残像のまだら模様が目立って視認されることが無く、ユーザーに不快感を与えることがない。
【０００８】
さらに、画像消去ステップにおける電気泳動粒子の移動方向が横方向であり、画像表示時の電気泳動粒子の移動方向と異なる方向であるため、マイクロカプセル内の電気泳動粒子の攪拌が十分なものとなる。これにより、画像の消去を確実に行えるようになるとともに、電気泳動粒子が第２電極側に貼り付いて固定化されるのを効果的に防止することができる。
【０００９】
前記画像消去ステップが、複数の前記駆動単位のうち一部の前記駆動単位に属する前記第１電極に第１の電位を入力し、他の一部の前記駆動単位に属する前記第１電極に第２の電位を入力するステップと、各々の前記駆動単位に属する前記第１電極に対して、前記第１の電位と前記第２の電位とを入れ替えて入力するステップとを含むことが好ましい。
この駆動方法によれば、マイクロカプセル内における電気泳動粒子の攪拌がより確実になされ、その結果、画像消去もより確実なものとなる。
【００１０】
前記画像消去ステップにおける前記第１の電位と前記第２の電位との電位差が、当該電気泳動表示装置の画像表示動作における前記第１電極と前記第２電極との間の最大電位差と略同等であることが好ましい。
この駆動方法によれば、電気泳動粒子を十分に攪拌して画像を確実に消去することができる。
【００１１】
前記画像消去ステップにおいて、複数の前記第１電極のうち一部の前記第１電極を電気的に切断した状態とすることもできる。この駆動方法によれば、電気的に切断された状態の第１電極が配置された領域の表示を維持したまま、他の領域の表示の消去（部分消去）を行うことができる。
【００１２】
あるいは、前記画像消去ステップにおいて、複数の前記第１電極のうち一部の前記第１電極に、現在の表示画像に対応する画像信号に基づく電位を入力することもできる。この駆動方法によれば、表示画像に対応する画像信号が書き込まれた画素では表示画像が上書きされ、その他の画素では画像が消去されるので、上記と同様の部分消去動作を実現することができる。
【００１３】
前記駆動単位の面積が前記マイクロカプセルの平均平面積の０．２５倍を超えて１倍以下となるように、前記駆動単位を設定することが好ましい。
駆動単位の面積がマイクロカプセルの平均平面積の１倍を超える場合、マイクロカプセルの平面領域内に隣接する駆動単位の境界領域が配置されない確率が高くなり、電気泳動粒子を横方向に移動させる作用が得られにくくなる。一方、マイクロカプセルの平均平面積の０．２５倍以下である場合には、マイクロカプセルの平面領域内に、平均して４個以上の駆動単位が配置されることになるため、マイクロカプセル内での電気泳動粒子の偏在が顕著になって表示品質が低下するおそれがある。
【００１４】
前記駆動単位の最短ピッチが前記マイクロカプセルの平均径の０．５倍を超えて１倍以下となるように、前記駆動単位を設定することが好ましい。
駆動単位の最短ピッチは、駆動単位の複数の配列方向におけるピッチが、駆動単位又は第１電極の形状に応じて異なる場合に、それらの複数のピッチのうち最も短いものを指している。
駆動単位のピッチがマイクロカプセルの平均径の１倍を超える場合、マイクロカプセルの平面領域内に隣接する駆動単位の境界領域が配置されない確率が高くなり、電気泳動粒子を横方向に移動させる作用が得られにくくなる。一方、マイクロカプセルの平均径に対して０．５倍以下であると、マイクロカプセルの平面領域内に、平均して４個以上の駆動単位が配置されることになるため、マイクロカプセル内での電気泳動粒子の偏在が顕著になって表示品質が低下するおそれがある。
【００１５】
次に，本発明の電気泳動表示装置は、対向して配置された第１基板と第２基板との間に、電気泳動粒子を含むマイクロカプセルが複数配列された電気泳動素子を挟持してなり、前記第１基板の前記電気泳動素子側に、少なくとも一方向において前記マイクロカプセルの平均径以下のピッチで配列された複数の第１電極が形成され、前記第２基板の前記電気泳動素子側には複数の前記第１電極と対向する第２電極が形成されており、前記第１及び第２電極の電位を制御する制御部を具備した電気泳動表示装置であって、前記制御部は、表示画像を消去する画像消去期間において、前記第２電極を電気的に切断した状態とするとともに、１又は複数の前記第１電極を１駆動単位とし、少なくとも一方向において隣接する前記駆動単位同士が異なる電位となるように前記第１電極に電位を入力することを特徴とする。
【００１６】
この構成によれば、画像消去期間に、第２電極を電気的に切断した状態で第１電極に電圧を印加することで、隣接する駆動単位間に横方向（基板面方向）の電界を発生させる。ここで、本発明の電気泳動表示装置では、第１電極のピッチがマイクロカプセルの平均径以下の長さであるため、多くのマイクロカプセルでその平面領域内に第１電極間の境界領域が配置されている。そのため、上記の電界によってマイクロカプセル内の電気泳動粒子が横方向に移動し、粒子と逆極性の電位の第１電極上に引き寄せられる。その結果、第２電極側に電気泳動粒子がほとんど配置されなくなり、当該電気泳動表示装置を第２基板側から視認するとグレイ表示（電気泳動粒子が白色粒子と黒色粒子である場合）となる。
したがって、画像消去動作中に白黒の明滅が表示されることがなくなり、ユーザーに不快感を与えるのを防止することができる。
また、画像消去が不十分な段階において、第２基板側に電気泳動粒子が残存していても、背景色がグレイになっているため、残像のまだら模様が目立って視認されることが無く、ユーザーに不快感を与えることがない。
【００１７】
さらに、画像消去期間における電気泳動粒子の移動方向が横方向であり、画像表示時の電気泳動粒子の移動方向と異なる方向であるため、マイクロカプセル内の電気泳動粒子の攪拌が十分なものとなる。これにより、画像の消去を確実に行えるようになるとともに、電気泳動粒子が第２電極側に貼り付いて固定化されるのを効果的に防止することができる。
【００１８】
前記マイクロカプセルの平均平面積が、前記駆動単位の面積の１倍以上４倍未満であることが好ましい。
マイクロカプセルの平均平面積が駆動単位の面積が１倍未満である場合、マイクロカプセルの平面領域内に隣接する駆動単位の境界領域が配置されない確率が高くなり、電気泳動粒子を横方向に移動させる作用が得られにくくなる。一方、マイクロカプセルの平均平面積が駆動単位の面積の４倍以上である場合には、マイクロカプセルの平面領域内に、平均して４個以上の駆動単位が配置されることになるため、マイクロカプセル内での電気泳動粒子の偏在が顕著になって表示品質が低下するおそれがある。
【００１９】
前記マイクロカプセルの平均径が、前記駆動単位の最短のピッチの１倍以上２倍未満であることが好ましい。
駆動単位の最短ピッチは、駆動単位の複数の配列方向におけるピッチが、駆動単位又は第１電極の形状に応じて異なる場合に、それらの複数のピッチのうち最も短いものを指している。
マイクロカプセルの平均径が駆動単位のピッチの１倍未満である場合、マイクロカプセルの平面領域内に隣接する駆動単位の境界領域が配置されない確率が高くなり、電気泳動粒子を横方向に移動させる作用が得られにくくなる。一方、マイクロカプセルの平均径が駆動単位のピッチの２倍を超える場合、マイクロカプセルの平面領域内に、平均して４個以上の駆動単位が配置されることになるため、マイクロカプセル内での電気泳動粒子の偏在が顕著になって表示品質が低下するおそれがある。
【００２０】
前記画像消去期間が、複数の前記駆動単位のうち一部の前記駆動単位に属する前記第１電極に第１の電位を入力し、他の一部の前記駆動単位に属する前記第１電極に第２の電位を入力する期間と、各々の前記駆動単位に属する前記第１電極に対して、前記第１の電位と前記第２の電位とを入れ替えて入力する期間とを含むことが好ましい。
この構成によれば、マイクロカプセル内の電気泳動粒子をさらに十分に攪拌することができ、より確実に画像の消去がなされる。
【００２１】
前記画像消去期間において、前記制御部は、複数の前記第１電極のうち一部の前記第１電極を電気的に切断した状態とすることもできる。
この構成によれば、画像消去期間において画像の一部消去が可能な電気泳動表示装置を提供することができる。
【００２２】
あるいは、前記画像消去期間において、前記制御部は、複数の前記第１電極のうち一部の前記第１電極に、現在の表示画像に対応する画像信号に基づく電位を入力することもできる。
この構成によれば、表示画像に対応する画像信号が書き込まれた画素では表示画像が上書きされ、その他の画素では画像が消去されるので、上記と同様の部分消去動作を実現することができる。
【００２３】
次に，本発明の電子機器は、先に記載の電気泳動表示装置を備えたことを特徴とする。この構成によれば、ユーザーに不快感を与えることなく画像消去を行うことができる表示品位に優れた表示手段を具備した電子機器を提供することができる。
【発明を実施するための最良の形態】
【００２４】
以下、図面を用いて本発明の一実施の形態であるアクティブマトリクス方式の電気泳動表示装置について説明する。
なお、以下の実施の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００２５】
図１は、本実施形態に係る電気泳動表示装置１００の概略構成図である。
電気泳動表示装置１００は、複数の画素４０がマトリクス状に配列された表示部５を備えている。表示部５の周辺には、走査線駆動回路６１、データ線駆動回路６２、コントローラ（制御部）６３、及び共通電源変調回路６４が配置されている。走査線駆動回路６１、データ線駆動回路６２、及び共通電源変調回路６４は、それぞれコントローラ６３と接続されている。コントローラ６３は、上位装置から供給される画像データや同期信号に基づき、これらを総合的に制御する。
【００２６】
表示部５には走査線駆動回路６１から延びる複数の走査線６６と、データ線駆動回路６２から延びる複数のデータ線６８とが形成されており、これらの交差位置に対応して画素４０が設けられている。
【００２７】
走査線駆動回路６１は、ｍ本の走査線６６（Ｙ１、Ｙ２、…、Ｙｍ）を介して各々の画素４０に接続されており、コントローラ６３の制御のもと、１行目からｍ行目までの走査線６６を順次選択し、画素４０に設けられた選択トランジスタ４１（図２参照）のオンタイミングを規定する選択信号を、選択した走査線６６を介して供給する。
【００２８】
データ線駆動回路６２は、ｎ本のデータ線６８（Ｘ１、Ｘ２、…、Ｘｎ）を介して各々の画素４０に接続されており、コントローラ６３の制御のもと、画素４０の各々に対応する１ビットの画素データを規定する画像信号を画素４０に供給する。
なお、本実施形態では、画素データ「０」を規定する場合にはローレベル（Ｌ）の画像信号を画素４０に供給し、画素データ「１」を規定する場合はハイレベル（Ｈ）の画像信号を画素４０に供給するものとする。
【００２９】
表示部５にはまた、共通電源変調回路６４から延びる低電位電源線４９、高電位電源線５０、及び共通電極配線５５が設けられており、それぞれの配線は画素４０と接続されている。共通電源変調回路６４は、コントローラ６３の制御のもと、上記の配線の各々に供給すべき各種信号を生成する一方、これら各配線の電気的な接続及び切断（ハイインピーダンス化）を行う。
【００３０】
図２は、表示部５に設けられた画素４０の回路構成図である。
画素４０は、選択トランジスタ４１（画素スイッチング素子）と、ラッチ回路７０と、電気泳動素子３２と、第１電極としての画素電極３５と、第２電極としての共通電極３７とを備えて構成されている。これらの素子を取り囲むように、走査線６６、データ線６８、低電位電源線４９、及び高電位電源線５０が配置されている。画素４０は、ラッチ回路７０により画像信号を電位として保持するＳＲＡＭ（Static Random Access Memory）方式の構成である。
【００３１】
選択トランジスタ４１は、Ｎ−ＭＯＳ（Negative Metal Oxide Semiconductor）トランジスタであり、そのゲート端子は走査線６６に接続され、ソース端子はデータ線６８に接続され、ドレイン端子はラッチ回路７０のデータ入力端子Ｎ１に接続されている。ラッチ回路７０のデータ出力端子Ｎ２は画素電極３５と接続されている。画素電極３５と共通電極３７との間に電気泳動素子３２が挟持されている。
【００３２】
ラッチ回路７０は、転送インバータ７０ｔと帰還インバータ７０ｆとを備えている。転送インバータ７０ｔ及び帰還インバータ７０ｆはいずれもＣ−ＭＯＳインバータである。転送インバータ７０ｔと帰還インバータ７０ｆとは、互いの入力端子に他方の出力端子が接続されたループ構造を成しており、それぞれのインバータには、高電位電源端子ＰＨを介して接続された高電位電源線５０と、低電位電源端子ＰＬを介して接続された低電位電源線４９とから電源電圧が供給される。
【００３３】
転送インバータ７０ｔは、Ｐ−ＭＯＳ（Positive Metal Oxide Semiconductor）トランジスタ７１とＮ−ＭＯＳトランジスタ７２とを有する。Ｐ−ＭＯＳトランジスタ７１のソース端子は高電位電源端子ＰＨに接続され、ドレイン端子はデータ出力端子Ｎ２に接続されている。Ｎ−ＭＯＳトランジスタ７２のソース端子は低電位電源端子ＰＬに接続され、ドレイン端子はデータ出力端子Ｎ２に接続されている。Ｐ−ＭＯＳトランジスタ７１及びＮ−ＭＯＳトランジスタ７２のゲート端子（転送インバータ７０ｔの入力端子）は、データ入力端子Ｎ１（帰還インバータ７０ｆの出力端子）に接続されている。
【００３４】
帰還インバータ７０ｆは、Ｐ−ＭＯＳトランジスタ７３とＮ−ＭＯＳトランジスタ７４とを有する。Ｐ−ＭＯＳトランジスタ７３のソース端子は高電位電源端子ＰＨに接続され、ドレイン端子はデータ入力端子Ｎ１に接続されている。Ｎ−ＭＯＳトランジスタ７４のソース端子は低電位電源端子ＰＬに接続され、ドレイン端子はデータ入力端子Ｎ１に接続されている。Ｐ−ＭＯＳトランジスタ７３及びＮ−ＭＯＳトランジスタ７４のゲート端子（帰還インバータ７０ｆの入力端子）は、データ出力端子Ｎ２（転送インバータ７０ｔの出力端子）と接続されている。
【００３５】
上記構成のラッチ回路７０において、ハイレベル（Ｈ）の画像信号（画素データ「１」）が記憶されると、ラッチ回路７０のデータ出力端子Ｎ２から、ローレベル（Ｌ）の信号が出力される。一方、ラッチ回路７０にローレベル（Ｌ）の画像信号（画素データ「０」）が記憶されると、データ出力端子Ｎ２からハイレベル（Ｈ）の信号が出力される。
そして、データ出力端子Ｎ２から出力された電位が画素電極３５に入力される。一方、共通電極３７には、共通電極配線５５（図１）を介して共通電極電位Ｖcomが供給される。電気泳動素子３２は、画素電極３５と共通電極３７との電位差によって生じる電界により画像を表示させる。
【００３６】
図３（ａ）は、表示部５における電気泳動表示装置１００の部分断面図である。電気泳動表示装置１００は、素子基板（第１基板）３０と対向基板（第２基板）３１との間に、複数のマイクロカプセル２０を配列してなる電気泳動素子３２を挟持した構成を備えている。
【００３７】
表示部５において、素子基板３０の電気泳動素子３２側には、図１や図２に示した走査線６６、データ線６８、選択トランジスタ４１、ラッチ回路７０などが形成された回路層３４が設けられており、回路層３４上に複数の画素電極３５が配列形成されている。
素子基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などにより形成された電気泳動素子３２に電圧を印加する電極である。
【００３８】
一方、対向基板３１の電気泳動素子３２側には複数の画素電極３５と対向する平面形状の共通電極３７が形成されており、共通電極３７上に電気泳動素子３２が設けられている。
対向基板３１はガラスやプラスチック等からなる基板であり、画像表示側に配置されるため透明基板とされる。共通電極３７は、画素電極３５とともに電気泳動素子３２に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
そして、電気泳動素子３２と画素電極３５とが、接着剤層３３を介して接着されることで、素子基板３０と対向基板３１とが接合されている。
【００３９】
なお、電気泳動素子３２は、あらかじめ対向基板３１側に形成され、接着剤層３３までを含めた電気泳動シートとして取り扱われるのが一般的である。製造工程において、電気泳動シートは接着剤層３３の表面に保護用の離型シートが貼り付けられた状態で取り扱われる。そして、別途製造された素子基板３０（画素電極３５や各種回路などが形成されている）に対して、離型シートを剥がした当該電気泳動シートを貼り付けることによって、表示部５を形成する。このため、接着剤層３３は画素電極３５側のみに存在することになる。
【００４０】
図３（ｂ）は、マイクロカプセル２０と画素電極３５とを示す平面図である。図３（ａ）及び図３（ｂ）に示すように、本実施形態に係る電気泳動表示装置１００では、稠密に配置されたマイクロカプセル２０の平面領域は、画素電極３５の平面領域よりも大きく、各々のマイクロカプセル２０の平面領域内に画素電極３５間の格子状の境界領域３９が含まれるものとなっている。
【００４１】
より詳しくは、マイクロカプセル２０の平面視における平均径Ｄｃが、画素電極３５のピッチＰｅよりも大きくされている。画素電極３５のピッチＰｅは、図３に示すように、正方形状の画素電極３５が等間隔のマトリクス状に配列されている場合には、図示左右方向、上下方向のいずれのピッチとしても同等であるが、画素電極３５の複数の配列方向におけるピッチが異なる場合には、短い方のピッチ（最短ピッチ）を上記のピッチＰｅとする。
そして、マイクロカプセル２０の平均径Ｄｃは、画素電極３５の形状及び配列形態から決定されたピッチＰｅの方向における幅を複数のマイクロカプセル２０について測定し、これを平均して得られる値である。例えば、１００μｍ□の領域の視野内で複数のマイクロカプセル２０の径（幅）を実測し、その平均値として平均径Ｄｃを算出することができる。
【００４２】
なお、図３では、すべてのマイクロカプセル２０が同径であるため、平均径Ｄｃをマイクロカプセル２０の図示左右方向の幅として表示している。実際の電気泳動表示装置１００では、マイクロカプセル２０は四角形状その他の多角形状を成すので、個々のマイクロカプセル２０の径とは必ずしも一致しない。
【００４３】
あるいは、より簡易的な算出方法として、平均径Ｄｃを、電気泳動表示装置１００に組み込まれない状態の球形のマイクロカプセル２０の直径の平均値と規定することもできる。電気泳動表示装置１００に組み込む前後でマイクロカプセル２０の変形量が小さい場合には、妥当な値の平均径Ｄｃを簡便に見積もることができる。
【００４４】
また本発明において、マイクロカプセル２０と画素電極３５の寸法関係は、それぞれの平面積によって規定してもよい。つまり、マイクロカプセル２０の平均の平面積が、画素電極３５の平面積の１倍以上である構成としてもよい。この場合にも、ほとんどのマイクロカプセル２０の平面領域内に、画素電極３５の境界領域が含まれることとなるので、後述する駆動方法における作用効果を得ることができる。特に、画素電極３５が、正方形状などの配列ピッチと平面積とが１：１に対応する形状である場合には、平面積の関係で規定する方が簡便である。
【００４５】
図４は、マイクロカプセル２０の模式断面図である。マイクロカプセル２０は、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図３に示すように共通電極３７と画素電極３５とで挟持され、１つの画素４０内に１つ又は複数のマイクロカプセル２０が配置される。
【００４６】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００４７】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００４８】
（駆動方法）
次に、本実施形態の電気泳動表示装置１００の駆動方法について、図５から図７を参照しつつ説明する。
図５は、電気泳動表示装置１００の駆動方法を示すフローチャートである。
本実施形態の駆動方法は、表示部５に画像を表示させる画像表示ステップＳＴ１１（画像表示期間）と、表示画像を保持する画像保持ステップＳＴ１２（画像保持期間）と、表示部５の画像を消去する第１の画像消去ステップＳＴ１３（画像消去期間）、及び第２の画像消去ステップＳＴ１４（画像消去期間）と、を含む。
【００４９】
図６は、図５に対応するタイミングチャートである。図７は、図５の各ステップに対応する表示部５における動作説明図である。
図７（ａ）〜（ｃ）は、画像表示ステップＳＴ１１、第１の画像消去ステップＳＴ１３、第２の画像消去ステップＳＴ１４にそれぞれ対応する。図７（ａ）〜（ｃ）には、表示部５の画素４０のうち、８個の画素４０Ａ〜４０Ｈを示している。それぞれの画素４０Ａ〜４０Ｈに対応して画素電極３５Ａ〜３５Ｈが形成されており、画素電極３５Ａ〜３５Ｈ上には、５個のマイクロカプセル２０が配列されている。共通電極３７は画素４０Ａ〜４０Ｈに共通である。
【００５０】
また図６には、画素４０Ａ〜４０Ｃに属する画素電極３５Ａ〜３５Ｃの電位Ｖａ、Ｖｂ、Ｖｃと、共通電極３７の電位Ｖcomと、高電位電源線５０の電位Ｖｄｄと、低電位電源線４９の電位Ｖｓｓとが示されている。
図６において、ハイレベル電位ＶＨは電気泳動素子３２の駆動に用いられる高電位（例えば１０〜１５Ｖ程度）である。中間ハイレベル電位ＶＭは、ラッチ回路７０への画像信号入力に用いられる高電位（例えば５Ｖ）である。またローレベル電位ＶＬは、画像信号入力と電気泳動素子３２の駆動の双方に用いられる低電位（例えば０Ｖ；グランド電位）である。
【００５１】
まず、画像表示ステップＳＴ１１では、上位装置から入力された画像データに基づく画像が表示部５に表示される。本実施形態では、図７（ａ）に示す画素４０Ａ〜４０Ｈのうち、画素４０Ａ、４０Ｂ、４０Ｅ、４０Ｆが白表示、画素４０Ｃ、４０Ｄ、４０Ｇ、４０Ｈが黒表示となる画像が表示部５に表示される。
【００５２】
より詳しくは、画像表示ステップＳＴ１１に移行すると、まず、図１に示した走査線駆動回路６１及びデータ線駆動回路６２により、画素４０の選択トランジスタ４１を介してラッチ回路７０に画像信号が書き込まれる。すなわち、走査線駆動回路６１から出力される選択信号により所定の画素４０の選択トランジスタ４１がオンされ、選択信号に同期してデータ線駆動回路６２から供給される画像信号が、ラッチ回路７０のデータ入力端子Ｎ１に入力される。これにより、ラッチ回路７０はハイレベル（中間ハイレベル電位ＶＭ）又はローレベル（ローレベル電位ＶＬ）の画像信号を電位として保持した状態となる。
なお、上記の画像信号をラッチ回路７０に入力する動作において、高電位電源線５０の電位Ｖｄｄは、画像信号のハイレベルに合わせた中間ハイレベル電位ＶＭとされ、低電位電源線４９の電位Ｖｓｓはローレベル電位ＶＬとされている。
【００５３】
そうすると、画素４０Ａ〜４０Ｈのそれぞれのラッチ回路７０のデータ出力端子Ｎ２から画像信号に対応する電位が出力され、画素電極３５Ａ〜３５Ｈに入力される。図６及び図７（ａ）に示すように、画素電極３５Ａ及び３５Ｂの電位Ｖａ、Ｖｂはローレベル電位ＶＬとなり、画素電極３５Ｃの電位Ｖｃは中間ハイレベル電位ＶＭとなる。
【００５４】
画素４０のラッチ回路７０への画像信号入力を終了したならば、電気泳動素子３２の駆動に十分な電圧を得るために、高電位電源線５０の電位Ｖｄｄがハイレベル電位ＶＨに引き上げられる。これにより、ラッチ回路７０のデータ出力端子Ｎ２から出力されるハイレベル電位が上昇し、それに伴い、画素電極３５Ｃの電位Ｖｃも中間ハイレベル電位ＶＭからハイレベル電位ＶＨに上昇する。また、画素電極３５Ｄ、３５Ｇ、３５Ｈの電位も同様に上昇する。
【００５５】
そして、共通電極３７には、ハイレベル電位ＶＨとローレベル電位ＶＬとを所定周期で繰り返す矩形波状のパルスが入力される。
これにより、共通電極３７の電位Ｖcomがハイレベル電位ＶＨである期間に、ローレベル電位ＶＬの画素電極３５Ａ、３５Ｂ、３５Ｅ、３５Ｆと共通電極３７との間に形成される電界によって電気泳動素子３２が駆動され、画素４０Ａ、４０Ｂ、４０Ｅ、４０Ｆが黒表示される。また、共通電極３７の電位Ｖcomがローレベル電位ＶＬである期間に、ハイレベル電位ＶＨの画素電極３５Ｃ、３５Ｄ、３５Ｇ、３５Ｈと共通電極３７との間に形成される電界によって電気泳動素子３２が駆動され、画素４０Ｃ、４０Ｄ、４０Ｇ、４０Ｈが白表示される。
【００５６】
以上により表示部５に画像が表示されたならば、画像保持ステップＳＴ１２に移行する。画像保持ステップＳＴ１２では、図６に示すように、高電位電源線５０、低電位電源線４９及び共通電極３７が、共通電源変調回路６４において電気的に切断され、ハイインピーダンス状態とされる。これにより、画素４０Ａ〜４０Ｈの画素電極３５Ａ〜３５Ｈもハイインピーダンス状態となり、電力を消費することなく表示画像を保持する。
【００５７】
次に、電気泳動表示装置１００において、表示部５の表示画像を更新する動作が選択されたならば、第１の画像消去ステップＳＴ１３に移行する。
第１の画像消去ステップＳＴ１３では、まず、画像表示ステップＳＴ１１と同様の動作により、画素４０に画像消去用の画像信号が入力される。画像消去用の画像データは、画素データ「０」と画素データ「１」とが交互に配列されたデータであり、同一の走査線６６に属する隣接する２つの画素４０のうち、一方の画素４０にはハイレベル、他方の画素４０にはローレベルの画像信号が入力されることになる。
【００５８】
画像消去用の画像信号が画素４０のラッチ回路７０に入力されると、ラッチ回路７０のデータ出力端子Ｎ２から出力される信号に基づいて画素電極３５の電位が変化する。図７（ｂ）に示す画素４０Ａ〜４０Ｈでは、画素４０Ａ、４０Ｃ、４０Ｅ、４０Ｇの画素電極３５Ａ、３５Ｃ、３５Ｅ、３５Ｇがローレベル（ローレベル電位ＶＬ）、画素４０Ｂ、４０Ｄ、４０Ｆ、４０Ｈの画素電極３５Ｂ、３５Ｄ、３５Ｆ、３５Ｈがハイレベル（中間ハイレベル電位ＶＭ）となる。
【００５９】
画像消去用の画像信号入力が終了したならば、高電位電源線５０の電位Ｖｄｄが中間ハイレベル電位ＶＭからハイレベル電位ＶＨに引き上げられる。一方、共通電極３７は、ハイインピーダンス状態に維持される。
そうすると、隣接する画素電極３５間に、横方向（基板面方向）の電界が形成される。具体的には、ハイレベル電位ＶＨである画素電極３５Ｂから、隣接する画素電極３５Ａ、３５Ｃにそれぞれ向かう電界が形成される。このとき、ハイインピーダンス状態の共通電極３７の電位Ｖcomは画素電極３５の電位分布に応じて決定され、本ステップでは、ハイレベル電位ＶＨとローレベル電位ＶＬの中間電位（ＶＨ＋ＶＬ）／２の近傍の電位となる。したがって、各々の画素電極３５と共通電極３７との間にも電極間の電位差に応じた電界が形成されることになるが、横方向の電位差の半分程度であるため、電気泳動素子３２には、主として横方向の電界が作用することになる。
【００６０】
上記の電界の作用により、図７（ｂ）に示すように、ローレベル電位ＶＬである画素電極３５Ａ、３５Ｃ、３５Ｅ、３５Ｇに黒色粒子２６が引き寄せられ、ハイレベル電位ＶＨである画素電極３５Ｂ、３５Ｄ、３５Ｆ、３５Ｈに白色粒子２７が引き寄せられる。
このように、第１の画像消去ステップＳＴ１３では、ほとんどの電気泳動粒子が画素電極３５側に引き寄せられた状態となるため、表示部５の表示色はグレイになる。
【００６１】
第１の画像消去ステップＳＴ１３が終了したならば、第２の画像消去ステップＳＴ１４に移行する。
第２の画像消去ステップＳＴ１４における具体的動作は、第１の画像消去ステップＳＴ１３と同様であり、用いられる画像消去用の画像信号のみが異なっている。具体的には、第２の画像消去ステップＳＴ１４では、第１の画像消去ステップＳＴ１３で用いられる画像消去用の画像データの階調を反転させた画像データが用いられる。
【００６２】
したがって、第２の画像消去ステップＳＴ１４を実行すると、図７（ｃ）に示すように、画素電極３５Ａ、３５Ｃ、３５Ｅ、３５Ｇにハイレベル電位ＶＨが入力され、画素電極３５Ｂ、３５Ｄ、３５Ｆ、３５Ｈにはローレベル電位ＶＬが入力される。すると、隣接する画素電極３５の間に形成される電界の向きが反転するので、白色粒子２７が画素電極３５Ａ、３５Ｃ、３５Ｅ、３５Ｇ上に移動し、黒色粒子２６が画素電極３５Ｂ、３５Ｄ、３５Ｆ、３５Ｈ上に移動する。これにより、マイクロカプセル２０内の電気泳動粒子がさらに攪拌され、表示部５の画像が確実に消去される。
第２の画像消去ステップＳＴ１４の終了後には、画像表示ステップＳＴ１１と同様の動作により、新たな画像を表示部５に表示させる動作が実行される。上記第１の画像消去ステップＳＴ１３および第２の画像消去ステップＳＴ１４においては、例えばハイレベル電位ＶＨが第１の電位に対応し、ローレベル電位ＶＬが第２の電位に対応する。
【００６３】
以上詳細に説明したように、本実施形態の駆動方法では、第１及び第２の画像消去ステップＳＴ１３、ＳＴ１４において、共通電極３７をハイインピーダンス化した状態で、隣接する画素電極３５間に異なる電位を入力しているため、マイクロカプセル２０内の電気泳動粒子は、画素電極３５間に形成される横方向（基板面方向）の電界によって画素電極３５側に引き寄せられる。そのため、画像消去ステップで表示部５はグレイ表示されることとなり、白黒の表示が明滅することがない。また、消去が不十分な段階であっても、背景色がグレイであるため、残像の色種によらず目立って視認されることがなくなる。
したがって本実施形態の駆動方法によれば、ユーザーに不快感を与えることなく画像を消去することができる。
【００６４】
また、本実施形態の駆動方法では、第１及び第２の画像消去ステップＳＴ１３、ＳＴ１４において、横方向の電界により電気泳動粒子を駆動する。すなわち、画像表示ステップＳＴ１１における電気泳動粒子の移動方向（上下方向；電気泳動素子３２の厚さ方向）とは異なる方向に電気泳動粒子を移動させて消去を行っている。これにより、従来の全面黒表示や全面白表示を行う画像消去動作に比べて、電気泳動粒子の攪拌がより良好になされ、確実な画像消去を行うことができる。
【００６５】
また、従来の画像消去動作では、上下方向に電気泳動粒子が駆動されるため、マイクロカプセル２０の上面（共通電極３７側の面）に電気泳動粒子が張り付いてしまうおそれがあった。これに対して、本実施形態の駆動方法では、画像消去動作時にほとんどの電気泳動粒子が画素電極３５側に引き寄せられるため、マイクロカプセル２０の上面に電気泳動粒子が貼り付きにくく、また貼り付いた電気泳動粒子を引きはがす作用も奏する。したがって、長期間にわたり表示品質を良好に維持することができる。
【００６６】
なお、本実施形態では、第１の画像消去ステップＳＴ１３と第２の画像消去ステップＳＴ１４とを実行することとしたが、第２の画像消去ステップＳＴ１４は必要に応じて設ければよく、第１の画像消去ステップＳＴ１３のみを実行する駆動方法であってもよい。
あるいは、第２の画像消去ステップＳＴ１４の後に、さらに１回以上の画像消去ステップを設け、より確実な画像消去を実行するようにしてもよい。画像消去ステップを追加する場合には、第１及び第２の画像消去ステップＳＴ１３、ＳＴ１４と同様に、連続する画像消去ステップ間で階調を反転させた画像消去用の画像データを用いることが好ましい。
【００６７】
また、本実施形態では、図７に一方向に配列された画素４０Ａ〜４０Ｈを示して説明したが、これらの画素４０Ａ〜４０Ｈの配列方向は、走査線６６の延在方向であっても、データ線６８の延在方向であってもよく、さらに他の方向であってもよい。すなわち、第１及び第２の画像消去ステップＳＴ１３、ＳＴ１４では、表示部５に配列された複数の画素４０において、少なくとも１つの配列方向で隣接する画素電極３５同士が異なる電位となるように画像信号を入力すればよい。
【００６８】
さらに、２つの配列方向（マトリクス状であれば行方向及び列方向）で隣接する画素電極３５同士が異なる電位となるように画像信号を入力することもできる。このような駆動方法とすれば、第１及び第２の画像消去ステップＳＴ１３、ＳＴ１４における表示部５がさらに均一なグレイ表示となるため、ユーザーの不快感をさらに軽減することができる。また、マイクロカプセル２０内における電気泳動粒子の攪拌がさらに効率良くなされることとなり、表示の消去がより確実なものとなる。
【００６９】
また、本実施形態に係る電気泳動表示装置１００及びその駆動方法は、画素電極３５とマイクロカプセル２０との寸法関係を規定するのみで実施することができるため、表示部５における画素電極３５の形状や配置パターンをほとんど変更することなく効率的な画像消去、残像消去が可能である。
【００７０】
（変形例１）
上記実施の形態では、第１及び第２の画像消去ステップＳＴ１３、ＳＴ１４において、隣接して配置された画素電極３５にそれぞれ異なる電位を入力することとしたが、本発明に係る駆動方法では、この電位入力の形態を変更することもできる。例えば、図８に示すように、マイクロカプセル２０の平面領域に対して画素電極３５の平面領域が小さい場合には、駆動形態を変更することが好ましい。図８は、上記実施形態の説明で参照した図３（ｂ）に対応する図である。
【００７１】
図８に示す構成では、画素電極３５のピッチＰｅが、図３（ｂ）に示した構成における画素電極３５のピッチＰｅの半分程度であり、マイクロカプセル２０の平面領域が、画素電極３５のほぼ４個分に相当する領域となっている。このような構成においては、マイクロカプセル２０の平面領域内に複数の画素電極３５が配置されるため、マイクロカプセル２０内で電気泳動粒子の偏在が生じやすくなる。
【００７２】
そこで例えば、図に斜線模様を付して示す４個の画素電極３５を１駆動単位に設定した上で、第１及び第２の画像消去ステップＳＴ１３、ＳＴ１４を実行することも好ましい。つまり、正方配置された４つの画素電極３５からなる駆動単位１３５における画素電極３５の電位をハイレベル電位ＶＨとする一方、かかる駆動単位１３５に隣接する他の駆動単位に属する４つの画素電極３５の電位をローレベル電位ＶＬとする駆動方法を採用することもできる。
このような駆動方法とすることで、マイクロカプセル２０内における電気泳動粒子の移動態様が、先の実施形態の電気泳動表示装置１００と同様となるので、電気泳動粒子の偏在を効果的に防止しつつ、効率的な画像消去や残像消去が可能になる。
【００７３】
また、電気泳動粒子の偏在は、マイクロカプセル２０の平面領域が、駆動単位の４個分以上である場合に特に顕著になる傾向がある。したがって、本発明に係る電気泳動表示装置の駆動方法においては、マイクロカプセル２０の平面領域の１／４以上の平面積を有する駆動単位を設定することが好ましい。また、かかる寸法関係をマイクロカプセル２０の平均径Ｄｃを用いて規定するならば、平均径Ｄｃの１／２以上のピッチとなるように駆動単位を設定することが好ましい。なお、ここでいう駆動単位のピッチは、当該駆動単位の複数の配列方向におけるピッチのうち、最も短いピッチである。
【００７４】
（変形例２）
また、上記実施の形態では、第１及び第２の画像消去ステップＳＴ１３、ＳＴ１４において、表示部５全体の画像を消去する場合について説明したが、第１及び第２の画像消去ステップＳＴ１３、ＳＴ１４において、表示画像の部分消去を実行することもできる。
図９（ａ）は、電気泳動表示装置１００において部分消去を実行した状態を示す表示部５の断面図である。
電気泳動表示装置１００において表示画像の部分消去を行う場合、画像を維持する領域５２に属する画素４０Ｄ〜４０Ｆに現在表示されている画像に対応する画像信号を再入力し、画像を消去する領域５１、５３に属する画素４０Ａ〜４０Ｃ、４０Ｇ、４０Ｈは、先の実施形態と同様に、配列されている画素電極３５に交互にハイレベル電位ＶＨとローレベル電位ＶＬとを入力する。共通電極３７はハイインピーダンス状態に保持される。
【００７５】
そうすると、領域５１、５３においては、隣接する画素電極３５間に生じる横方向の電界によって電気泳動素子が駆動され、図示のように画素電極３５Ａ、３５Ｃ、３５Ｈ上に黒色粒子２６が引き寄せられ、画素電極３５Ｂ、３５Ｇ上に白色粒子２７が引き寄せられる。これにより、領域５１、５３はグレイ表示となって画像が消去される。
【００７６】
一方、領域５２では、画素４０に現在表示されている画像に対応する画像信号が入力されるため、画素電極３５Ｄ〜Ｆの電位状態は、画像表示ステップＳＴ１１と同様である。ここで、共通電極３７はハイインピーダンス状態であるため、画素電極３５と共通電極３７との間には、画像表示ステップＳＴ１１と同等の電界は形成されない。
しかし、共通電極３７の電位は、画素電極３５の電位の分布に応じて変化し、画素電極３５の平均の電位近傍の電位となる。図９（ａ）に示す場合では、ハイレベル電位ＶＨの画素電極３５とローレベル電位ＶＬの画素電極３５とが同数であるから、共通電極３７は（ＶＨ＋ＶＬ）／２の近傍の電位となる。
【００７７】
そうすると、領域５２において、各々の画素電極３５と共通電極３７との間に、電気泳動素子３２の厚さ方向の電界が形成されることとなり、領域５２の画素４０では、入力された画像信号に応じて電気泳動素子３２が駆動され、元と同じ表示画像が上書きされる。画像表示ステップＳＴ１１から時間が経ってコントラストが低下している場合には、この動作によってコントラストを回復させる効果も得られる。
【００７８】
なお、上記の駆動方法の場合、領域５２内であっても、階調の異なる画素４０が隣接した配置された画像境界の部分で横方向の電界が形成され、電気泳動粒子が横方向に移動する。例えば、図９（ａ）では、領域５２内の画素４０Ｄと画素４０Ｅとの間に横方向の電界が形成され、白黒の境界が一部グレイ表示となる可能性がある。しかし、画像全体の輪郭は保持されるため、表示品質にはほとんど影響しない。
【００７９】
また、電気泳動表示装置１００を、個々の画素電極３５を直接駆動するセグメント方式とすれば、より高精度に消去する領域と表示を維持する領域とを制御することができる。図９（ｂ）は、セグメント方式を採用した場合における部分消去動作を示す説明図である。
【００８０】
図９（ｂ）に示すように、セグメント方式の場合、各々の画素電極３５と直接接続された画素電極駆動回路６０が設けられている。画素電極駆動回路６０には、個々の画素電極３５に対応してスイッチング素子が設けられており、画素電極３５に対する信号供給配線の電気的接続と切断とを個別に制御できるようになっている。
【００８１】
そして、部分消去動作においては、画像を消去する領域５１、５３の画素電極３５Ａ〜３５Ｃ、３５Ｇ、３５Ｈに対して、図９（ａ）に示した場合と同様の電位入力が成される一方、画像を維持する領域５２の画素電極３５Ｄ〜３５Ｆはハイインピーダンス状態とされる。また、共通電極３７もハイインピーダンス状態とされる。
【００８２】
そうすると、領域５１、５３では、隣接する画素電極３５間に生じる横方向の電界によって電気泳動素子が駆動され、図示のように画素電極３５Ａ、３５Ｃ、３５Ｈ上に黒色粒子２６が引き寄せられ、画素電極３５Ｂ、３５Ｇ上に白色粒子２７が引き寄せられる。これにより、領域５１、５３はグレイ表示となって画像が消去される。
一方、領域５２では、画素電極３５Ｄ〜３５Ｆと共通電極３７の双方がハイインピーダンス状態であるため、電気泳動素子３２には電圧が印加されない。したがって、領域５２の表示が維持される。
【００８３】
また、領域５１と領域５２との境界においても、画素電極３５Ｄがハイインピーダンス状態であるため、隣接する画素電極３５Ｃとの間に横方向の電界が形成されることはなく、領域５２と領域５３との境界においても同様である。そのため、表示を維持する領域５２の輪郭が移動したり崩れたりすることがなく、画像を高品位な状態で維持することができる。
【００８４】
（変形例３）
また、電気泳動表示装置１００では、新たな画像を表示部５に表示する際に、残像が生じにくい形態で電気泳動素子３２が駆動されるという効果が得られる。図１０は、白黒の境界を含む画像を表示する際の表示部５の電位状態を示す図である。
【００８５】
図１０には、画素４０Ａ〜４０Ｄからなる領域５４Ｗを白表示、画素４０Ｅ〜４０Ｈからなる領域５４Ｂを黒表示する画像を表示するときの、各電極の状態が示されている。すなわち、画素電極３５Ａ〜３５Ｄにはローレベル電位ＶＬが入力され、画素電極３５Ｅ〜３０Ｈにはハイレベル電位ＶＨが入力されている。共通電極３７には、ハイレベル電位ＶＨとローレベル電位ＶＬとを所定周期で繰り返す矩形波状のパルスが入力されている。
【００８６】
このように各電極に電位を入力することで、画素電極３５と共通電極３７との電位差によって形成される電界により電気泳動素子３２が駆動される。ここで、領域５４Ｗと領域５４Ｂの境界部分に着目すると、画素電極３５Ｄと画素電極３５Ｅとの間の境界領域は、これらの画素電極３５Ｄ、３５Ｅとの境界領域の上方に配置されたマイクロカプセル２０Ｃの平面領域内に配置されている。
【００８７】
そうすると、画素電極３５Ｄと画素電極３５Ｅとの間には、両者の電位差によって横方向の電界が形成されるため、マイクロカプセル２０Ｃ内の電気泳動粒子に横方向の移動が生じ、マイクロカプセル２０Ｃにおいて第１の画像消去ステップＳＴ１３と同様の現象が生じることとなる。これにより、白表示される領域５４Ｗと黒表示される領域５４Ｂとの間で、より明確に白色粒子２７と黒色粒子２６とが分離される。
【００８８】
したがって、白表示される画素４０と黒表示される画素４０との境界において、斜め電界によって意図しない領域にまで黒表示（又は白表示）が広がってしまうのを防止することができ、これにより残像を生じにくくすることができる。
より詳しくは、斜め電界による表示のにじみ出しが生じると、例えば図１０に示す状態から表示部５を全白表示する場合に、領域５４Ｗと領域５４Ｂとの境界に黒表示の部分が残ってしまい、前の画像の黒部分の輪郭が残像となって視認される。これに対して、電気泳動表示装置１００では、白表示の領域５４Ｗと黒表示の領域５４Ｂとの境界における白色粒子２７と黒色粒子２６とが良好に分離されることで、表示のにじみ出し自体を防止できるため、残像が生じるのを効果的に防止することができる。
【００８９】
本発明では、画素電極３５とマイクロカプセル２０の平面寸法関係を規定しているため、多くのマイクロカプセル２０内に画素電極３５間の境界領域が含まれることとなる。したがって、任意の画像の表示において、上述した効果を得ることができる。
【００９０】
（変形例４）
以上の実施形態では、図２に示した画素回路を具備した電気泳動表示装置１００について説明したが、電気泳動表示装置１００における画素回路の構成は、図２の例に限定されるものではない。
図１１（ａ）及び図１１（ｂ）は、電気泳動表示装置１００に適用可能な他の画素回路の例を示す図である。
【００９１】
図１１（ａ）に示す画素１４０は、ラッチ回路７０と画素電極３５との間に、スイッチ回路８０を備えており、スイッチ回路８０にグローバル配線である第１の制御線９１と第２の制御線９２とが接続された構成である。第１及び第２の制御線９１、９２は、例えば図１に示した共通電源変調回路６４に接続され、ハイインピーダンス状態を含む任意の電位に制御可能である。
【００９２】
スイッチ回路８０は、第１のトランスミッションゲートＴＧ１と、第２のトランスミッションゲートＴＧ２とを備えて構成されている。
第１のトランスミッションゲートＴＧ１は、Ｐ−ＭＯＳトランジスタ８１とＮ−ＭＯＳトランジスタ８２とからなる。Ｐ−ＭＯＳトランジスタ８１及びＮ−ＭＯＳトランジスタ８２のソース端子は第１の制御線９１に接続され、Ｐ−ＭＯＳトランジスタ８１及びＮ−ＭＯＳトランジスタ８２のドレイン端子は画素電極３５に接続されている。また、Ｐ−ＭＯＳトランジスタ８１のゲート端子は、ラッチ回路７０のデータ入力端子Ｎ１に接続され、Ｎ−ＭＯＳトランジスタ８２のゲート端子は、ラッチ回路７０のデータ出力端子Ｎ２に接続されている。
【００９３】
第２のトランスミッションゲートＴＧ２は、Ｐ−ＭＯＳトランジスタ８３とＮ−ＭＯＳトランジスタ８４とからなる。Ｐ−ＭＯＳトランジスタ８３及びＮ−ＭＯＳトランジスタ８４のソース端子は第２の制御線９２に接続され、Ｐ−ＭＯＳトランジスタ８３及びＮ−ＭＯＳトランジスタ８４のドレイン端子は、画素電極３５に接続されている。また、Ｐ−ＭＯＳトランジスタ８３のゲート端子は、ラッチ回路７０のデータ出力端子Ｎ２に接続され、Ｎ−ＭＯＳトランジスタ８４のゲート端子は、ラッチ回路７０のデータ入力端子Ｎ１に接続されている。
【００９４】
ここで、ラッチ回路７０にローレベル（Ｌ）の画像信号（画素データ「０」）が記憶され、データ出力端子Ｎ２からハイレベル（Ｈ）の信号が出力された場合、第１のトランスミッションゲートＴＧ１がオン状態となり、第１の制御線９１を介して供給される電位Ｓ１が画素電極３５に入力される。
一方、ラッチ回路７０にハイレベル（Ｈ）の画像信号（画素データ「１」）が記憶され、データ出力端子Ｎ２からローレベル（Ｌ）の信号が出力された場合、第２のトランスミッションゲートＴＧ２がオン状態となり、第２の制御線９２を介して供給される電位Ｓ２が画素電極３５に入力される。
【００９５】
図１１（ａ）に示す画素１４０を具備した電気泳動表示装置１００では、画素電極３５に入力された電位Ｓ１、Ｓ２と共通電極３７の電位Ｖcomとの電位差に基づいて電気泳動素子３２を駆動し、表示部５に画像を表示することができる。
そして、画素１４０を備えた構成とすることで、第１及び第２の画像消去ステップＳＴ１３、ＳＴ１４をより簡便かつ迅速に実行可能になる。
具体的には、画素１４０では、第１及び第２の制御線９１、９２の電位Ｓ１、Ｓ２を制御することで、直接的に画素電極３５の電位を制御することができるので、第１の画像消去ステップＳＴ１３から第２の画像消去ステップＳＴ１４に移行する際に、第１の制御線９１と第２の制御線９２の電位を入れ替えるのみで、画素電極３５の電位を反転させることができる。したがって、第２の画像消去ステップＳＴ１４における画素１４０への画像信号入力が不要となり、画像消去を迅速に実行することができるとともに、走査線駆動回路６１及びデータ線駆動回路６２の電力消費を抑えることができる。
【００９６】
次に、図１１（ｂ）に示す画素２４０は、選択トランジスタ４１と、キャパシタ２２５と、画素電極３５と、電気泳動素子３２と、共通電極３７とを備える。すなわち、画素２４０は、ＤＲＡＭ（１Ｔ１Ｃ）方式の画素回路を備えた構成である。画素２４０を採用する場合には、図２に示したラッチ回路７０の電源配線（高電位電源線５０及び低電位電源線４９）も不要になる。
【００９７】
電気泳動表示装置１００が画素２４０を備える構成である場合にも、先の実施形態に係る駆動方法を適用することで、画像の消去を確実に効率良く行うことができ、高品位の表示を得ることができる。
【００９８】
（電子機器）
次に、上記各実施形態の電気泳動表示装置１００〜４００を、電子機器に適用した場合について説明する。
図１２は、腕時計１０００の正面図である。腕時計１０００は、時計ケース１００２と、時計ケース１００２に連結された一対のバンド１００３とを備えている。
時計ケース１００２の正面には、上記実施形態の電気泳動表示装置１００からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００９９】
図１３は電子ペーパー１１００の構成を示す斜視図である。電子ペーパー１１００は、上記実施形態の電気泳動表示装置１００を表示領域１１０１に備えている。電子ペーパー１１００は可撓性を有し、従来の紙と同様の質感及び柔軟性を有する書き換え可能なシートからなる本体１１０２を備えて構成されている。
【０１００】
図１４は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１０１】
以上の腕時計１０００、電子ペーパー１１００、及び電子ノート１２００によれば、本発明に係る電気泳動表示装置１００が採用されているので、表示品位に優れた表示部を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【図面の簡単な説明】
【０１０２】
【図１】実施形態に係る電気泳動表示装置の概略構成図。
【図２】画素回路を示す図。
【図３】電気泳動表示装置の部分断面図及び要部平面図。
【図４】マイクロカプセルの断面図。
【図５】実施形態に係る駆動方法を示すフローチャート。
【図６】図５に対応するタイミングチャート。
【図７】図５に対応する電気泳動表示装置の動作説明図。
【図８】変形例１で参照する電気泳動表示装置の要部平面図。
【図９】変形例２で参照する電気泳動表示装置の断面図。
【図１０】変形例３で参照する電気泳動表示装置の断面を示す説明図。
【図１１】変形例４に係る画素回路を示す図。
【図１２】電子機器の一例である腕時計の正面図。
【図１３】電子機器の一例である電子ペーパーの斜視図。
【図１４】電子機器の一例である電子ノートの斜視図。
【符号の説明】
【０１０３】
１００  電気泳動表示装置、５  表示部、２０  マイクロカプセル、３２  電気泳動素子、３５，３５Ａ，３５Ｂ，３５Ｃ，３５Ｄ，３５Ｅ，３５Ｆ，３５Ｇ，３５Ｈ  画素電極、３７  共通電極（対向電極）、４０，４０Ａ，４０Ｂ，４０Ｃ，４０Ｄ，４０Ｅ，４０Ｆ，４０Ｇ，４０Ｈ，１４０，２４０  画素、６０  画素電極駆動回路、６１  走査線駆動回路、６２  データ線駆動回路、６３  コントローラ（制御部）
【図１】
2010008645.tif 000003
【図２】
2010008645.tif 000004
【図３】
2010008645.tif 000005
【図４】
2010008645.tif 000006
【図５】
2010008645.tif 000007
【図６】
2010008645.tif 000008
【図７】
2010008645.tif 000009
【図８】
2010008645.tif 000010
【図９】
2010008645.tif 000011
【図１０】
2010008645.tif 000012
【図１１】
2010008645.tif 000013
【図１２】
2010008645.tif 000014
【図１３】
2010008645.tif 000015
【図１４】
2010008645.tif 000016